(57)【特許請求の範囲】
【請求項１】
テーブル支持台の少なくとも一側面に設けられた略垂直なテーブル収納面に対しテーブル裏面が重なる収納状態と、該テーブル支持台からテーブルが水平方向へ突出する使用状態間を上下回動可能にしてテーブル支持台にテーブルが取付けられる折り畳みテーブルにおいて、
前記テーブル収納面に上下方向に設けられるガイドレール（３）と、該ガイドレールに摺動自在に取付けられるスライダ（４）と、テーブル端から突端部（２１）の距離分を確保した箇所に基軸（５２）が位置するようにして、該スライダとテーブル裏面の一端寄りを連結して該テーブルを回動可能にする連結部材（５）とを備えたテーブル可動機構（Ａ）と、
前記テーブル収納面に基端部を回動自在に取付けたアーム（６）と、該アームに係合してアーム先端部をテーブル裏面へ押圧する押圧手段（７）と、テーブル裏面側に設けられ、テーブル使用状態時にアーム先端が嵌入される溝（２９）と、該溝に嵌入したアーム先端を押し出すことのできる解除手段（８）とを備えたテーブル支持機構（Ｂ）と、を具備し、収納状態からテーブル（２）の持ち上げにより、テーブル（２）の回動規制が解除され、前記基軸（５２）を軸にテーブル（２）が回転して、前記突端部（２１）が支持台上面（１３）に載って該テーブル（２）が支持台（１）から水平方向へ突出する使用状態になることを特徴とする折り畳みテーブル。
【請求項２】
前記スライダ（４）の下部に切欠（４５）を形成する一方、前記ガイドレール（３）の上方寄りに、該切欠（４５）に係合するようＶ字形に突設した係止部（３３ａ）を有する係止バネ（３３）を設ける請求項１記載の折り畳みテーブル。
【発明の詳細な説明】
【０００１】
【発明の属する技術分野】
本発明は、使用時は支持台から水平に張出す一方、不使用時には支持台側面に重ねて収納できる折り畳みテーブルに関し、特に、ワンボックスカー等のように車内中央部に移動用スペース（ウォークスルー）のある自動車に好適に設置できる折り畳みテーブルに関する。
【０００２】
【従来の技術】
折り畳みテーブルで、使用する際、支持台上面を埋め尽くすようにしたものは、従来、図９のようなタイプが一般的に使われてきた。
不使用時は支持台ａの側面ａ1 にテーブルｂを重ね合わせてテーブルｂを起立状態として小スペース化を図り、一方、使用時は軸着部ｃを中心にテーブルを回動させ、支持台ａの上面に突端部ｆが載るようにしてテーブルｂを水平に張出させるのである。その後、図９（イ）では支持バーｄを起こしてテーブルを水平支持し、また、図９（ロ）では矢印方向へ力を加えて折り畳みバーｅを伸ばしてテーブルの水平維持する動作を加えてきた。
【０００３】
【発明が解決しようとする課題】
しかるに、従来の折り畳みテーブルは、使用するにあたって、前述のごとく二つ動作を行わねばならず厄介であった。さらに、不使用時にテーブル突端部ｆが支持台ａの上面から突き出す格好となり、テーブルの収納安定性に欠け且つ突端部が目障りで邪魔になっていた。
【０００４】
本発明は、上記問題点を解決するもので、一動作でテーブルを使用状態にさせることが可能で、しかも、不使用時はテーブル突端部を引っ込めてテーブルの収納に優れた折り畳みテーブルを提供することを目的とする。
【０００５】
【課題を解決するための手段】
上記目的を達成すべく、請求項１記載の発明の要旨は、テーブル支持台の少なくとも一側面に設けられた略垂直なテーブル収納面に対しテーブル裏面が重なる収納状態と、該テーブル支持台からテーブルが水平方向へ突出する使用状態間を上下回動可能にしてテーブル支持台にテーブルが取付けられる折り畳みテーブルにおいて、前記テーブル収納面に上下方向に設けられるガイドレール（３）と、該ガイドレールに摺動自在に取付けられるスライダ（４）と、テーブル端から突端部（２１）の距離分を確保した箇所に基軸（５２）が位置するようにして、該スライダとテーブル裏面の一端寄りを連結して該テーブルを回動可能にする連結部材（５）とを備えたテーブル可動機構（Ａ）と、前記テーブル収納面に基端部を回動自在に取付けたアーム（６）と、該アームに係合してアーム先端部をテーブル裏面へ押圧する押圧手段（７）と、テーブル裏面側に設けられ、テーブル使用状態時にアーム先端が嵌入される溝（２９）と、該溝に嵌入したアーム先端を押し出すことのできる解除手段（８）とを備えたテーブル支持機構（Ｂ）と、を具備し、収納状態からテーブル（２）の持ち上げにより、テーブル（２）の回動規制が解除され、前記基軸（５２）を軸にテーブル（２）が回転して、前記突端部（２１）が支持台上面（１３）に載って該テーブル（２）が支持台（１）から水平方向へ突出する使用状態になることを特徴とする折り畳みテーブルにある。
請求項２の折り畳みテーブルは、請求項１で、スライダ（４）の下部に切欠（４５）を形成する一方、前記ガイドレール（３）の上方寄りに、該切欠（４５）に係合するようＶ字形に突設した係止部（３３ａ）を有する係止バネ（３３）を設けることを特徴とする。
【０００６】
請求項１の発明のごとく、テーブル可動機構が設けられると、使用時にテーブル上面を覆いながら、収納時にはガイドレールに沿ってスライダと一緒にテーブルが下降するので、連結部材を取付けた箇所より上の突端部を引っ込めることができる。そして、収納時には、該突端部がテーブル収納面に当ってテーブルの回動が阻止させられるので、テーブルが不用意に開くことがない。
また、上記テーブル可動機構にテーブル支持機構が備えられると、テーブルを持ち上げて収納状態から使用状態にする過程で、アームが自律的に動いてテーブルを固定支持するので、テーブルを動かす一動作だけで収納状態から使用状態に変化する。
テーブル端から突端部（２１）の距離分を確保した箇所に基軸（５２）が位置するようにして、該スライダとテーブル裏面の一端寄りを連結して該テーブルを回動可能にする連結部材（５）とを備えたテーブル可動機構（Ａ）とすると、収納状態からテーブル（２）の持ち上げにより、突端部（２１）とテーブル収納面（１１）との当接によってテーブル（２）の回動が規制されていたのが解除され、さらに基軸（５２）を軸にテーブル（２）が回転することで、突端部（２１）が支持台上面（１３）に載ってテーブル（２）が支持台（１）から水平方向へ突出する使用状態になる。収納状態にあるテーブル（２）を持ち上げて水平姿態にする一動作で、水平姿態になったテーブル（２）を確実に固定支持ができる。
請求項２の発明のごとく、スライダ（４）に切欠（４５）を形成する一方、前記ガイドレール（３）の上方寄りに、該切欠（４５）に係合するようＶ字形に突設した係止部（３３ａ）を有する係止バネ（３３）を設けると、テーブル使用時にスライダ（４）が上方所定位置へ移動した際、係止バネ（３３）の係止部（３３ａ）が切欠（４５）から突き出して係合することができる一方、スライダ（４）と共にテーブル（２）を下方へ降す際に、テーブル（２）の自重に加え、手で所定以上の下向き力をテーブル（２）に与えれば外れるようになる。
【０００７】
【発明の実施の形態】
以下、本発明に係る折り畳みテーブルの実施形態について詳述する。
（１）実施形態１
図１〜図７は本発明の折り畳みテーブルの一形態を表し、図１はその全体斜視図、図２，図３は要部分解斜視図、図４はテーブル可動機構周りを示す縦断面図、図５〜図７はテーブル支持機構周りを示す縦断面図である。ここでは、折り畳みテーブルをワンボックスカー等の車内ウォークスルーに取付けたもので、テーブル支持台の両側にテーブルが開閉可能に設けられている。
【０００８】
折り畳みテーブルはテーブル支持台１とテーブル２とテーブル可動機構Ａとテーブル支持機構Ｂとを具備する。
テーブル支持台１は、テーブル２を支持するもので、ここでは前後に細長い方形体になっている。該テーブル支持台１は自動車の車内床面に取付けられる。テーブル支持台１の両側面は略垂直なテーブル収納面１１を形成し、また、上面１３には缶飲料やその他の小物用の収納穴１２が設けられている。
上記テーブル収納面１１は、テーブル支持台１の側面をなすと共に、テーブル不使用時はテーブル２が重ねられてテーブル２の収納に用いられる部分となる。該テーブル収納面１１は、テーブル２と同形またはそれよりやや大きめにしている。
【０００９】
テーブル２は、盤状の二分割品で、テーブル２の突端部２１が支持台上面１３に載ると他端（自由端２６）が支持台１から突出する姿態となる。両テーブル２は、可動機構Ａによってテーブル支持台１に取付けられ、テーブル収納面１１にテーブル裏面２５が重なる収納状態と、テーブル支持台１からテーブル２が水平方向へ突出する使用状態間を動けるようになっている。
【００１０】
テーブル可動機構Ａはガイドレール３とスライダ４と連結部材５とを備える。
ガイドレール３は、金属製長尺材で、テーブル収納面１１のほぼ中央に窪み１５を縦方向に形成し、該窪み１５内に孔３５を利用して上下方向に設置される。ガイドレール３は、ここにスライダ４を嵌込み、スライダ４に取着したテーブル２を収納状態から使用状態に移る際に上昇させたり、或いは、テーブル２を使用状態から収納状態に移る際に下降させたりするときのガイドとして用いられる。
ガイドレール３には縦長の金属板の幅方向両端を起こしてガイド部３１を形成し、また、該ガイド部３１の内側に上下方向に補強用リブ３２を形成している。さらに、ガイドレール３の上方寄りで、補強用リブ３２間を切り起こして係止バネ３３を設ける。係止バネ３３はＶ字形に突設した係止部３３ａを有し、該係止部３３ａはテーブル使用で上昇させた際にスライダ４の位置決めとなる。符号３４はスライダ４の上限規制片を示す。
【００１１】
スライダ４は、前記ガイドレール３上を摺動自在に取付けられる板加工体である。スライダ４はガイドレール３幅に合わせた矩形の背板部４１と該背板部４１の両側部に断面コ字形に形成した係止部４２とを有し、該係止部４２がガイドレール３の両側部を挟んで上下動できる構成にある。該スライダ４の上部両側部にはテーブル連結部４３が形成され、該テーブル連結部４３に透孔４４を設けている。また、背板部４１の下部に切欠４５を形成し、テーブル使用時にスライダ４が上方所定位置へ移動した際、係止バネ３３の係止部３３ａが切欠４５から突き出して係合するようにしている。該切欠４５と係合部３３ａとの係合は、スライダ４と共にテーブル２を下方へ降す際に、テーブル２の自重に加え、手で所定以上の下向き力をテーブル２に与えれば外れるようになっている。
【００１２】
連結部材５は、前記スライダ４とテーブル裏面２５の一端寄りを連結してテーブル２を回動可能にする部材で、連結金具５１と基軸５２と固定リング５４とを備える。連結金具５１は四角形の金属板で、その一端の両縁に起立突片５１１を設け、該突片５１１に円孔５１２を形成している。該円孔５１２とスライダ４の透孔４４とを合わせ、これらに基軸５２を挿通することによって、スライダ上部に連結金具５１が取付けられる。符号５４は基軸両端寄りに形成した溝５２ａに嵌まる固定リングを示す。
また、上記連結金具５１の金属板には小孔５１３が複数形成されており、該小孔５１３を利用して連結金具５１がビス等でテーブル裏面２５の一端寄りに固着される。詳しくは、テーブル端から支持台１の上面幅の約１／２となる載置部（突端部２１）の距離分を確保した箇所に基軸５２が位置するようにして連結金具５１がテーブル２に固定される。かくして、テーブル２は連結部材５を介してスライダ４に連結され、且つスライダ４がガイドレール３上を摺動することから、テーブル２はテーブル収納面１１に沿って上下動すると共に上端に達した後、基軸５２を軸に回転して支持台１からテーブル２が水平方向に突出する使用状態にすることができる。テーブル使用時には支持台上面１３を突端部２１で覆って、すなわち、支持台上面１３の収納穴１２に蓋をして、テーブル２が張出すことになる。
ところで、本実施形態では、円孔５１２と透孔４４を合わせ、これらに基軸５２を挿通する際、基軸５２にバネ５３を挿着している。該バネ５３をテーブル裏面２５とスライダ間に介在させてテーブル自由端２６を上方へ付勢する。該バネの付勢によって、テーブル使用時にテーブルを上方へ軽い力で回動できるようにするためである。
【００１３】
また、前述のごとく、支持台１からテーブル２が水平方向に突出する使用状態にした際、この状態を安定維持できるようテーブル支持機構Ｂが設けられている。テーブル支持機構Ｂは、テーブル使用時にテーブル裏面２５とテーブル収納面１１の間でつっかいをなす一方、テーブル収納時にはつっかいを外し、これらをテーブル裏面２５に収納するものである。
テーブル支持機構Ｂは、アーム６と押圧手段７と溝２９と解除手段８とを備える。
【００１４】
アーム６は、横架部６１の両サイドを曲げ、腕部６２を形成して略コ字形とした棒状部材で、両腕部基端はさらに折り曲げて基端部６３を形成している。該基端部６３は受部材６４で回動自在にテーブル収納面１１に取付けられる。支持台１からテーブル２が水平方向に突出す使用状態にして、アーム６を起こすと、基端部６３から腕部６２が約４５゜上方傾斜してアーム先端部たる横架部６１はテーブル裏面２５に当接する格好となる。
【００１５】
押圧手段７は、前記アーム６に係合して横架部６１をテーブル裏面２５へ押圧するもので、ここでは板バネが用いられている。板バネ７は帯状板で、テーブル２の幅方向に帯状板の長手方向を一致させてテーブル裏面２５に取付けられる。板バネ先端部７１を上向きに曲げてテーブル自由端寄りの裏面に埋設固定する一方、基端部に孔７２を開け、スキュリューネジ７３でテーブル裏面２５に板バネ７を固着している。該板バネ７をテーブル裏面２５へ固定するにあたっては、図５のようにアーム横架部６１を抱き込んで取付けられる。横架部６１は板バネ７とテーブル裏面２５でつくる空間Ｏ内に収められ、横架部６１は板バネ７によりテーブル裏面２５へ常時押圧される。そして、テーブル２が収納状態にある起立形態では、図５のごとく横架部６１は先端寄りに位置し、一方、テーブル２が使用状態にある水平姿態へ移ると、横架部６１はテーブル２を擦りながら図６のごとくスクリュウネジ７３のある基端部寄りへと動く。しかも、使用状態にテーブル２がセットされると、横架部６１はテーブル裏面２５に設けた溝２９に嵌まり込み、水平姿態にあるテーブル２を安定保持する。
【００１６】
溝２９は、テーブル裏面２５で図５の紙面垂直方向に設けられる。具体的には、アーム６が上方約４５゜傾斜してテーブル２を水平姿態で支える際、テーブル裏面２５で横架部６１が当接する箇所に溝２９が設けられる（図６）。溝２９に横架部６１が嵌入することによってアーム６の動きが規制され、テーブル２を安定して水平姿態で支持できるようになる。
【００１７】
解除手段８は、溝２９に嵌入した横架部６１を押し出すもので、使用状態にあるテーブル２を折り畳んで収納状態に移行させる際に使われる（図７）。
ここでは、解除手段８として棒状レバーを用いる。レバー８はその中央付近に貫通孔８３を形成し、該貫通孔８３を使ってテーブル裏面２５に軸着される。レバー先端部８２は溝２９に嵌入した横架部６１の背後にくるように調整される。テーブル自由端２６から覗く把手８１を押し上げることによって、レバー８は前述の板バネ力に抗して溝２９に嵌入した横架部６１を梃子の原理で押し出す。尚、レバー８が配設されるテーブル裏面２５側はレバー８に沿って凹部２２を形成し、横架部６１の背面側にレバー８を配設しやすいように工夫している。
【００１８】
次に、かくのごとく構成した折り畳みテーブルの使い方について説明する。まず、図４（イ）の収納状態から使用する場合は、テーブル２を手で持ち上げる。すると、図４（ロ）のようにガイドレール３を上動するスライダ４と一緒にテーブル２が持ち上がる。スライダ４は規制片３４に当ったところで止まる（図３参照）。この位置にテーブルがくると、突端部２１とテーブル収納面１１との当接によってテーブル２の上方回動が規制されていたのが解除される。その後、基軸５２を軸にテーブル２を反時計周りに回転させる。該回転によって、突端部２１が支持台上面１３に載り、テーブル２は支持台１から水平方向へ突出する使用状態になる。これらの動きに合わせて、アーム６の横架部６１は、空間Ｏ内をテーブル自由端２６寄りから突端部２１の方向へ動き、テーブル２が使用状態になったときに溝２９に嵌入して、該アーム６の自立作用で水平になったテーブル２を支持固定する。他方のテーブル２も同様の操作をして、収納状態のテーブル２を水平維持し、使用に供することができる。
【００１９】
また、テーブルの使用状態から収納する場合は、図７のごとく、把手８１を矢印方向へ少し持ち上げる。すると、支軸８４を中心に回転し、レバー先端部８２が横架部６１を溝２９から押し出し、テーブル２を回転可能とする。次いで、テーブル自由端２６を押し下げる。テーブル２は基軸５２を中心に回転し、起立するようになる。テーブル２は、その後、スライダ４と共に下降し、突端部２１が引っ込んだ状態でテーブル収納面１１に重ね合わされる。斯る動作と並行して、溝２９から押し出された横架部６１が空間Ｏ内をテーブル自由端２６の方向へ動き、テーブル収納状態が完結したときには横架部６１もテーブル収納面１１に重ね合わされる。
【００２０】
このように構成した折り畳みテーブルは、収納状態にあるテーブル２を持ち上げて水平姿態にする一動作で、テーブル支持機構Ｂが自動的に動いて水平姿態になったテーブル２を確実に固定支持ができる。従来のごとく、テーブル２を水平にした後、支持バー等を起こしてロックする作業を要せず、その操作が極めて簡単になる。そして、テーブル２が水平姿態の使用状態になった時、両テーブル２，２が支持台上面１３を覆うので、両テーブル間に隙間ができず、見栄えの良いテーブル２に仕上がる。
また、テーブル２を使用状態から収納する場合も、把手８１を少し持ち上げることによってテーブル支持機構Ｂを解除できるので、後はテーブル２を押し下げれば、容易に収納状態へもっていくことができる。
さらに、テーブル２が使用状態から収納状態へ移行する際（不使用時）には、テーブル２が基軸５２を軸に起立した後、テーブル２と連結しているスライダ４をガイドレール３に沿って下降させることができるので、テーブル突端部２１を図４（イ）のごとく引っ込めてコンパクトに収納することが可能になる。従来のごとく、支持台１からの出っ張りもなく、収納安定性に優れる。
【００２１】
（２）実施形態２
本実施形態の折り畳みテーブルは、図８のごとく押圧手段７をコイルバネとしたものである。図８は図２の対応図面である。
コイルバネ７はアーム６を常にテーブル裏面２５へ当ててテーブル２を押し上げる付勢力が働くようにしている。そして、テーブル２を持ち上げ使用状態にすると、アーム横架部６１が溝２９に嵌入してテーブル２を支持固定し得る構成になっている。他の構成は実施形態１と基本的に同じで、その説明を省略する。実施形態１の部品と同一符号はそれと同一または相当部分を示す。
斯る構成の折り畳みテーブルも実施形態１と同様の作用，効果が得られる。
【００２２】
尚、本発明においては、前記実施例に示すものに限られず、目的，用途に応じて本発明の範囲で種々変更できる。テーブル支持台１，テーブル２，ガイドレール３，スライダ４，連結部材５，アーム６，押圧手段７，解除手段８等の形状，大きさ等は用途に合わせて適宜変更できる。
【００２３】
【発明の効果】
以上のごとく、本発明の折り畳みテーブルは、テーブルを動かす操作でテーブル支持機構が自律的に働いて水平姿態になったテーブルを固定支持し、さらに、収納状態下では、従来、支持台から突き出していたテーブル突端部が引っ込んで収納に優れた形状に変化するので極めて有益である。
【図面の簡単な説明】
【図１】  実施形態１の折り畳みテーブルの全体斜視図である。
【図２】  図１の折り畳みテーブルの要部分解斜視図である。
【図３】  図１の折り畳みテーブルの要部分解斜視図である。
【図４】  テーブル可動機構周りを示す縦断面図である。
【図５】  テーブルが収納状態にあるテーブル支持機構周りを示す縦断面図である。
【図６】  テーブルが使用状態にあるテーブル支持機構周りを示す縦断面図である。
【図７】  テーブルが使用状態にある解除手段周りを示す縦断面図である。
【図８】  実施形態２の折り畳みテーブルの要部分解斜視図である。
【図９】  従来技術の説明図である。
【符号の説明】
１          支持台（テーブル支持台）
１１        テーブル収納面
１３        支持台上面
２          テーブル
２１        突端部
２５        テーブル裏面
２９        溝
３          ガイドレール
３３        係止バネ
３３ａ      係止部
４          スライダ
４５        切欠
５          連結部材
５２        基軸
６          アーム
６１        横架部（アーム先端部）
６２        基端部
７          押圧手段
８          解除手段
Ａ          テーブル可動機構
Ｂ          テーブル支持機構
【図１】
0004028054.tif 000002
【図２】
0004028054.tif 000003
【図３】
0004028054.tif 000004
【図４】
0004028054.tif 000005
【図５】
0004028054.tif 000006
【図６】
0004028054.tif 000007
【図７】
0004028054.tif 000008
【図８】
0004028054.tif 000009
【図９】
0004028054.tif 000010